(57)【要約】【課題】投光ユニットを２つ内蔵した投光器と、受光ユニットを２つ内蔵した受光器とで構成され、２つの受光ユニットの受光信号が同時に検知信号発生レベルまで低下したときに検知信号を発するようにした光線式検知装置の、２つの受光ユニット間の受光状態のバランスを考慮すること。【解決手段】受光器の各受光ユニットに、対応する投光器の各投光ユニットからの赤外線変調光を個別に受光させ、その受光レベルを出力する受光量出力部を設け、受光器内には、各受光ユニットの受光量出力部の受光レベルを読み取り、予め設定した受光レベルに達していない受光ユニットが存在する場合には、再調整を促す再調整警告手段を備えた。【選択図】図２
2010160008.tif 000002
【特許請求の範囲】
【請求項１】
照準装置と方向可変機能を備えた投光ユニットを、上下方向に複数個配置した投光器と、照準装置と方向可変機構を備えた受光ユニットを上下方向に複数個配置した受光器とで構成され、受光器内に、投光器からの赤外線変調光を受光し、増幅した後の受光信号レベルが予め設定した値となるよう増幅器の増幅度を変更し、その状態で増幅度を固定する増幅度変更手段と、前記増幅度変更手段を作動させる設定完了信号入力部とを備えた光線式検知装置において、受光器の各受光ユニットには、対応する投光ユニットからの赤外線変調光を受光し、その受光レベルを出力する受光量出力部を設け、受光器には、前記設定完了信号入力部からの信号入力を受け、各受光ユニットの受光量出力部の受光レベルを読み取り、予め設定した受光レベルに達していない受光レベルの受光ユニットが存在することを受けて信号を発する再調整警告手段を備えたことを特長とする光線式検知装置。
【請求項２】
前記再調整警告手段は、設定完了信号入力部からの信号入力を受け、各受光ユニットの受光量出力部の受光レベルを読み取り、受光レベルの最大値と最小値の差が予め設定した値以上であることを受けて、信号を発するものであることを特長とする請求項１に記載の光線式検知装置。
【発明の詳細な説明】
【技術分野】
【０００１】
本発明は、赤外線変調光を発する投光器と、この赤外線変調光を受ける受光器とで構成される光線式検知装置に関するものである。
【背景技術】
【０００２】
この種の光線式検知装置は、投光器と受光器を所定の距離だけ離して設置するものである。投光器から受光器に達する赤外線変調光の強さは、雨や霧等の気象条件や、装置のカバーや窓部の汚れによる減衰を考慮し、余裕を持った値としてある。例えば１００ｍの距離を警戒する装置の場合、受光器側の受光信号レベルが最大時の１／１００まで減衰しても検知信号を発しない程度にするのが一般的である。この種の装置は所定の警戒距離よりも短い距離で設置されることもあるため、必要以上に受光レベルが上昇するのを防ぐ目的で、適正レベルとなる状態を記憶させ、再度調整作業をおこなうまで電源供給の断続に関わらず、その状態の記憶を維持させるようにしていた（例えば特許文献１参照）。
【特許文献１】実開平５−４５５８７号公報
【発明の開示】
【発明が解決しようとする課題】
【０００３】
従来の光線式検知装置では、所定の警戒距離よりも短い距離で設置した場合に、適正な状態となるよう調整する機能は有していたが、投光ユニットを２つ内蔵した投光器と、受光ユニットを２つ内蔵した受光器とで構成され、２つの受光ユニットの受光信号が同時に検知信号発生レベルまで低下したときに検知信号を発するようにした光線式検知装置では、次に示すような問題点があった。
【０００４】
２つの受光ユニットで受光した赤外線変調光の増幅後の受光信号の総和をもとに、適正レベルかどうかを判定し、増幅器の増幅度を変更していただけであり、２つの受光ユニットの受光状態のバランスまでは考慮してなかった。このため、極端な場合、一方の受光ユニットの受光レベルがほとんどない状態であっても、適正レベルになったものとして設定されてしまうことになり、２つの受光ユニットを内蔵した効果が得られなくなるという問題があった。
【課題を解決するための手段】
【０００５】
本発明では、受光器の各受光ユニットに、対応する投光器の各投光ユニットからの赤外線変調光を個別に受光させ、その受光レベルを出力する受光量出力部を設け、受光器内には設定完了信号入力部からの信号入力を受け、各受光ユニットの受光量出力部の受光レベルを読み取り、予め設定した受光レベルに達していない受光ユニットが存在する場合には、再調整を促す再調整警告手段を備えた。
【発明の効果】
【０００６】
本発明の光線式検知装置では、複数の投光ユニットと、それらに対応する複数の受光ユニットの間の赤外線変調光伝達状況を個別に確認し、設定完了信号入力部からの信号入力を受け、各受光ユニットの受光レベルを読み取り、予め設定した受光レベルに達していない受光ユニットが存在する場合、再調整するよう警告信号が発せられるので、受光レベルが低い受光ユニットを内蔵した受光器がそのまま運用されてしまうという不都合がなくなる。
【発明を実施するための最良の形態】
【０００７】
図１は、本発明の光線式検知装置の受光器の構成を示したブロック図である。
１１は、第１の受光ユニット、１２は第２の受光ユニット、１３は信号処理部、１４は判定部、１５は出力部である。２つの投光ユニットを備えた投光器（図示省略）から受光器に向けて発射された赤外線変調光は、受光器内の２つの受光ユニットで受光される。第１の受光ユニット１１と、第２の受光ユニット１２は、上下方向に並べられ、投光器の２つの投光ユニットも受光器と同様に上下方向に並べられている。
【０００８】
受光ユニット１１と受光ユニット１２は、放物面反射鏡等の光学系とその焦点に置かれたフォトダイオードとで構成されており、ここで電気信号に変換され、信号処理部１３に送られる。投光器の２つの投光ユニットから発射される赤外線変調光は、同期がとられており、２つの受光ユニットから出力される電気信号は、加算されてひとつの信号処理部１３で処理される。信号処理部１３で処理された信号は、判定部１４へ送られ、基準値と比較して、信号が基準値を下まわったときに出力部１５を作動させ、出力信号として外部へ送り出す。１６は、第１の受光量出力部であり、第１の受光ユニット１１の出力信号を受け、その信号の大きさに応じた直流信号に変換する。１７は、第２の受光量出力部であり、第２の受光ユニット１２の出力信号を受け、その信号の大きさに応じた直流信号に変換する。１８は、再調整警告手段であり、第１の受光量出力部１６と、第２の受光量出力部１７の信号レベルを読み取り、どちらか一方でも予め設定したレベルに達していない場合に警告信号を発生させる。１９は、設定完了信号入力部であり、受光器のカバーの本体からの脱着に応じて作動し、再調整警告手段に対し作動信号を入力する。設定完了信号入力部は、信号処理部１３に内蔵された増幅度変更手段（図示省略）も作動させる。
【０００９】
次に再調整警告手段１８の動きを説明する。
図２は、２つの投光ユニットとそれらに対応する２つの受光ユニットとが正対するように光軸調整を行い、受光器のカバーを閉じ、設定完了信号入力部１９から作動信号が発せられた後の再調整警告手段１８の動きを示したフローチャートである。設定完了信号入力部１９からの信号入力を受け（ステップ００１）、第１の受光量出力部１６の信号レベルを読み取り、適正値かどうか判定する（ステップ００２）。適正レベルを下まわっている場合には、不適正であることを記憶する（ステップ００３）。次に第２の受光量出力部１７の信号レベルを読み取り、適正値かどうか判定する（ステップ００４）。適正レベルを下まわっている場合には、不適正であることを記憶し（ステップ００５）、警告信号を発する（ステップ００６）。
【００１０】
次に、第１の受光量出力部１６の信号レベルと、第２の受光量出力部１７の信号レベルを比較し、その差が適正値であるかどうかを判定する（ステップ００７）。適正値でない場合には、警告信号を発する（ステップ００８）。再調整警告手段１８から発せられる信号は、ブザー音、表示灯の点滅、「再度、光軸調整を行ってください」という内容の音声メッセージ等、どのような形態でもよい。
設定完了信号入力部１９からの信号入力により、信号処理部１３内の増幅度変更手段が作動し、増幅した後の信号レベルが予め設定した値以下となるよう増幅器の増幅度を変更し、その状態で増幅度を固定する。
【００１１】
以上の説明のとおり、再調整警告手段１８が適正レベルをチェックし、警告信号を発するので、第１の受光ユニット１１と第２の受光ユニット１２がバランスのとれた状態で設置され運用されるようになる。第１の受光ユニット１１の受光レベルと、第２の受光ユニット１２の受光レベルが、適正な状態となるまで、再調整警告手段１８から信号が発せられるので、調整作業が完全な形で完了されるようになり、一方の受光ユニットの受光レベルがほとんどない状態で運用が開始されるということが回避できる。
増幅度変更手段の作動は、上記の説明のように再調整警告手段の一連の動作の終了後におこなってもよいが、それよりも前におこなってもよい。
【００１２】
以上は、上下方向に２つの投光ユニットを配置した投光器と、上下方向に２つの受光ユニットを配置した受光器とで構成される光線式検知装置についての説明であるが、３つ以上の投光ユニット・受光ユニットを配置した光線式検知装置についても同様である。
【図面の簡単な説明】
【００１３】
【図１】本発明の光線式検知装置の受光器の構成を示したブロック図である。
【図２】再調整警告手段の動きを示したフローチャートである。
【符号の説明】
【００１４】
１１・・・第１の受光ユニット
１２・・・第２の受光ユニット
１３・・・信号処理部
１４・・・判定部
１５・・・出力部
１６・・・第１の受光量出力部
１７・・・第２の受光量出力部
１８・・・再調整警告手段
１９・・・設定完了信号入力部
【図１】
2010160008.tif 000003
【図２】
2010160008.tif 000004